(57)【要約】【課題】図柄表示装置の表示部を邪魔することなく図柄表示装置の前側において光の模様を安価な構造によって形成し得る遊技機の発光装置を提供する。【解決手段】発光装置１は、遊技機の図柄表示装置１２の周縁位置に配設される発光体２と、発光体２に隣接され図柄表示装置１２の前側の一部を覆う透明または半透明の光透過板３を有している。光透過板３は、図柄表示装置１２の表示部１２ａの前側に位置する一端縁３ｂに厚み方向に傾斜する傾斜面３ｃを有し、発光体２に隣接する一端縁３ａから入射した発光体２の光を傾斜面３ｃによって遊技者側に屈折させる構成になっている。【選択図】図２
2008086701.tif 000002
【特許請求の範囲】
【請求項１】
遊技機の発光装置であって、
遊技機の図柄表示装置の周縁位置に配設される発光体と、その発光体に隣接され前記図柄表示装置の前側の一部を覆う透明または半透明の光透過板を有し、
前記光透過板は、前記図柄表示装置の表示部の前側に位置する一端縁に厚み方向に傾斜する傾斜面または曲面を有し、前記発光体に隣接する一端縁から入射した前記発光体の光を前記傾斜面または曲面によって遊技者側に屈折させる構成になっていることを特徴とする遊技機の発光装置。
【請求項２】
請求項１に記載の遊技機の発光装置であって、
光透過板の傾斜面または曲面は、図柄表示装置側に向いていることを特徴とする遊技機の発光装置。
【請求項３】
請求項２に記載の遊技機の発光装置であって、
光透過板の傾斜面または曲面は、図柄表示装置側からの光の反射量よりも発光体側からの光の反射量が大きい角度またはカーブを有することを特徴とする遊技機の発光装置。
【請求項４】
請求項１〜３のいずれかに記載の遊技機の発光装置であって、
光透過板の傾斜面または曲面には、シボ加工またはクローム蒸着が施されていることを特徴とする遊技機の発光装置。
【発明の詳細な説明】
【技術分野】
【０００１】
本発明は、遊技機の発光装置に関し、とりわけ遊技機の図柄表示装置の周縁に設けられる発光体を有する発光装置に関する。
【背景技術】
【０００２】
従来、特許文献１に記載の発光装置が知られている。この発光装置は、図柄表示装置（液晶表示装置）の周縁に配設される色変化発光体と、図柄表示装置の前面を覆う散乱性透明板状体を有している。散乱性透明板状体には、特定の色のフィルタが埋設、あるいは所定の間隔毎に繊維材料が埋設されている。そのため色変化発光体から光が発せられると、その光が散乱性透明板状体の一端縁から入射し、フィルタまたは繊維材料によって散乱される。したがって液晶表示装置の表示画面を邪魔することなく、発光体の光を表示画面の前側において散乱させることができる。
【特許文献１】特開２００６−６５１６８号公報
【発明の開示】
【発明が解決しようとする課題】
【０００３】
しかし特許文献１に記載の散乱性透明板状体は、特定の色のフィルタや繊維材料等を透明板に埋設するために複雑な構成でコストが嵩むという問題を有していた。しかも特定の模様を光によって形成したいという要望もあるが、フィルタや繊維材料等では、特定の模様を形成することが容易でない。
そこで本発明は、図柄表示装置の表示部を邪魔することなく図柄表示装置の前側において光の模様を安価な構造によって形成し得る遊技機の発光装置を提供することを課題とする。
【課題を解決するための手段】
【０００４】
前記課題を解決するために本発明は、各請求項に記載の通りの構成を備える遊技機の発光装置であることを特徴とする。
請求項１に記載の発明によると、遊技機の図柄表示装置の周縁位置に配設される発光体と、その発光体に隣接され図柄表示装置の前側の一部を覆う透明または半透明の光透過板を有している。そして光透過板は、図柄表示装置の表示部の前側に位置する一端縁に厚み方向に傾斜する傾斜面または曲面を有しており、発光体に隣接する一端縁から入射した発光体の光を傾斜面または曲面によって遊技者側に屈折させる構成になっている。
【０００５】
したがって発光体は、図柄表示装置の周縁位置で光を発する。そしてその光は、光透過板の一端縁から光透過板内を通過し、図柄表示装置の前側位置にて遊技者側へ屈折する。これにより図柄表示装置の前側に光の模様が形成される。光透過板は、図柄表示装置の前側の一部を覆う構成であるが、透明または半透明であるために、図柄表示装置の表示部によって表示される絵柄の邪魔をしない。また光の模様は、光透過板の一端縁に傾斜面または曲面を形成することで形成されるため安価に形成され得る。
【０００６】
請求項２に記載の発明によると、光透過板の傾斜面または曲面は、図柄表示装置側に向いている。したがって発光体から発せられた光は、傾斜面または曲面にて反射して、遊技者側に屈折する。
【０００７】
請求項３に記載の発明によると、光透過板の傾斜面または曲面は、図柄表示装置側からの光の反射量よりも発光体側からの光の反射量が大きい角度またはカーブを有している。したがって図柄表示装置の表示部から発せられる光が図柄表示装置側に反射することで図柄表示装置の図柄が見難くなることを抑制できる。一方、発光体が発した光の多くは、光透過板の傾斜面または曲面によって遊技者側に反射され得る。
【０００８】
請求項４に記載の発明によると、光透過板の傾斜面または曲面には、シボ加工またはクローム蒸着が施されている。したがってシボ加工によって傾斜面または曲面に凹凸模様が形成され、その模様によって光が散乱する。そのため趣の深い光を形成することができる。クローム蒸着した場合には、傾斜面または曲面に鏡面が形成され、その鏡面によって発光体の光の多くが遊技者側に反射され得る。しかもこれらシボ加工とクローム蒸着は、傾斜面または曲面の表面に形成されるため、後加工によって容易に形成され得る。
【発明を実施するための最良の形態】
【０００９】
（実施の形態１）
実施の形態１を図１〜４にしたがって説明する。遊技盤１０は、図１に示すようにパチンコ機の遊技盤であって、円弧状の球誘導レール１３によって遊技領域１１が区画されている。遊技領域１１の中央部には、図柄表示装置１２が設けられ、図柄表示装置１２の周りには、複数の回転風車１４と一般入賞口１５が設けられている。図柄表示装置１２の左右中央の直下には、始動入賞口１６が設けられ、その始動入賞口１６の直下には、大入賞口を有するアタッカー装置１７が設けられている。
【００１０】
図柄表示装置１２は、図１に示すように画面を表示する液晶の表示部１２ａと、表示部１２ａの外周を保護する枠体１２ｂを有している。表示部１２ａには、三つのリールが回転・停止するように見える図柄や、キャラクタ等の図柄が表示される。パチンコ球がパチンコ機の発射装置によって遊技領域１１に放たれて始動入賞口１６に入賞すると図柄表示装置１２の表示が変動する。そして図柄表示装置１２の複数の図柄が特定の表示態様になった場合に大入賞口が所定時間、或いは所定個数入るまで開いた状態に維持される。
【００１１】
図柄表示装置１２の近傍には、図１に示すように発光装置１が取付けられる。この発光装置１は、図柄表示装置１２の前側にて光の模様を形成する装置であって、光を発する発光体２と、板状の光透過板３を有している。
【００１２】
発光体２は、図２，３に示すように配線が印刷された基板２ａと、基板２ａの表面（左面）に取付けられた複数のＬＥＤ２ｂを有している。発光体２は、図１に示すように図柄表示装置１２の右側縁位置に配設され、枠体１２ｂに覆われる。ＬＥＤ２ｂは、図示省略の電源と接続されており、電源は、制御装置によって制御される。したがって制御装置によってＬＥＤ２ｂの発する光のタイミングと強さを制御できる。
【００１３】
光透過板３は、図１に示すように図柄表示装置１２の前側一部（例えば右側部）を覆うように遊技盤１０に取付けられる。光透過板３は、透明または半透明の板材であって、ポリカーボネイト樹脂などの樹脂材あるいはガラス材等から形成される。光透過板３の一端縁（右端縁）３ａは、図２，３に示すように直線状にカットされ、発光体２に隣接される。発光体２から光が発せられると、その光が光透過板３の一端縁３ａから光透過板３に入射し、他端縁３ｂに向けて進行する。
【００１４】
光透過板３の他端縁（左端縁）３ｂは、図２，３に示すように所望の湾曲状にカットされている。他端縁３ｂの一部または全部に厚み方向に傾斜する傾斜面３ｃが形成されている。他端縁３ｂは、図柄表示装置１２の表示部１２ａの前側に配設されており、傾斜面３ｃは、図４に示すように図柄表示装置１２に向いている。
【００１５】
したがって光透過板３の一端縁３ａから入射された発光体２の光は、傾斜面３ｃによって遊技者側に反射され、遊技者側へ屈折する。そのため光透過板３の傾斜面３ｃによって光の模様が形成される。傾斜面３ｃの傾斜角度は、図柄表示装置１２側からの光の反射量よりも、発光体２側からの光の反射量が大きくなるように形成されている。例えば、発光体２から入射した光の入射角θが図柄表示装置１２の材質により定められる臨界角よりも大きくなるように定められている。
【００１６】
以上のようにして実施の形態１が形成されている。すなわち発光装置１は、図２に示すように発光体２と光透過板３を有している。そして光透過板３は、図柄表示装置１２の表示部１２ａの前側に位置する一端縁３ｂに厚み方向に傾斜する傾斜面３ｃを有しており、発光体２に隣接する一端縁３ａから入射した発光体２の光を傾斜面３ｃによって遊技者側に屈折させる構成になっている。
【００１７】
したがって発光体２は、図柄表示装置１２の周縁位置で光を発する。そしてその光は、光透過板３の一端縁３ａから光透過板３内を通過し、図柄表示装置１２の前側位置にて遊技者側へ屈折する。これにより図柄表示装置１２の前側に光の模様が形成される。光透過板３は、図柄表示装置１２の前側の一部を覆う構成であるが、透明または半透明であるために、図柄表示装置１２の表示部１２ａによって表示される絵柄の邪魔をしない。また光の模様は、光透過板３の一端縁に傾斜面３ｃを形成することで形成されるため安価に形成され得る。
【００１８】
光透過板３の傾斜面３ｃは、図４に示すように図柄表示装置１２側に向いている。したがって発光体２から発せられた光は、傾斜面３ｃで反射して、遊技者側に屈折する。
【００１９】
光透過板３の傾斜面３ｃは、図柄表示装置１２側からの光の反射量よりも発光体２側からの光の反射量が大きい角度を有している。したがって図柄表示装置１２の表示部１２ａから発せられる光が図柄表示装置１２側に反射することで図柄表示装置１２の図柄が見難くなることを抑制できる。一方、発光体２が発した光の多くは、光透過板３の傾斜面３ｃによって遊技者側に反射され得る。
【００２０】
（実施の形態２）
実施の形態２を図５にしたがって説明する。実施の形態２は、実施の形態１と似た構成になっているが、図４に示す傾斜面３ｃに代えて図５に示す曲面３ｄを有している点において相違している。以下、相違点を中心に実施の形態２について説明する。
【００２１】
光透過板３は、図５に示すように一端縁（左端縁）３ｂに曲面３ｄを有している。曲面３ｄは、厚み方向に曲線を形成する凸レンズ状であって、図柄表示装置１２に向いている。したがって発光体２の発した光は、発光体２に隣接する光透過板３の一端縁３ａから光透過板３内を通り、曲面３ｄによって遊技者側に反射される。そして曲面３ｄによって集光、あるいは集光後に光が発散する。曲面３ｄの曲率は、図柄表示装置１２側からの光の反射量よりも、発光体２側からの光の反射量が大きくなるように決定することが好ましい。
【００２２】
（実施の形態３）
実施の形態３を図６にしたがって説明する。実施の形態３は、実施の形態１と似た構成になっているが、図４に示す傾斜面３ｃに代えて図６に示す曲面３ｅを有している点において相違している。以下、相違点を中心に実施の形態３について説明する。
【００２３】
光透過板３は、図６に示すように一端縁（左端縁）３ｂに曲面３ｅを有している。曲面３ｅは、厚み方向に曲線を形成する凹レンズ状であって、図柄表示装置１２に向いている。したがって発光体２の発した光は、発光体２に隣接する光透過板３の一端縁３ａから光透過板３内を通り、曲面３ｅによって遊技者側に反射される。そして反射した光は、曲面３ｅによって発散される。曲面３ｅの曲率は、図柄表示装置１２側からの光の反射量よりも、発光体２側からの光の反射量が大きくなるように決定することが好ましい。
【００２４】
（実施の形態４）
実施の形態４を図７にしたがって説明する。実施の形態４は、実施の形態１と似た構成になっているが、発光装置１は、複数の発光体２と光透過板３を有している点で実施の形態１と相違している。以下、相違点を中心に実施の形態４について説明する。
【００２５】
図７に示すように複数の発光体２が図柄表示装置１２の一端縁（右端縁）の前側に厚み方向に並設される。そして複数の光透過板３が図柄表示装置１２の表示部１２ａの右寄り前側に厚み方向に並設される。各光透過板３の一端縁３ａは、各発光体２に隣接される。各光透過板３の他端縁３ｂには、図柄表示装置１２に向く傾斜面３ｃが形成されている。複数の光透過板３の他端縁３ｂは、別々の模様を形成するためにずれた位置に配設され、対応する発光体２によって光の模様を形成する。したがって発光装置１は、複数の発光体２と光透過板３によって複数の光の模様を同時に形成することもできるし、複数の光の模様を別々に形成することもできる。
【００２６】
（実施の形態５）
実施の形態５は、実施の形態１と似た構成になっているが、図４に示す傾斜面３ｃにシボ加工またはクローム蒸着を施した点で実施の形態１と相違している。以下、相違点を中心に実施の形態５について説明する。
【００２７】
図４に示す光透過板３の傾斜面３ｃにシボ加工を施すことで、傾斜面３ｃに凹凸の模様が形成される。したがってシボ加工によって傾斜面３ｃに凹凸模様が形成され、その模様によって光が散乱する。そのため傾斜面３ｃによって趣の深い光が形成される。クローム蒸着した場合は、傾斜面３ｃに鏡面が形成される。そして鏡面によって発光体２の光の多くが遊技者側に反射され得る。しかもこれらシボ加工とクローム蒸着は、傾斜面３ｃの表面に形成されるため、後加工によって容易に形成され得る。
【００２８】
（他の実施の形態）
本発明は、実施の形態１〜５に限定されず、以下の形態等であっても良い。
（１）実施の形態１〜５に係る発光装置は、パチンコ機の遊技盤に設けられていた。しかしスロットマシン等の遊技盤に設けられる発光装置であっても良い。
（２）実施の形態１〜５に係る発光装置の発光体は、図柄表示装置の右側縁に設けられていた。しかし図柄表示装置の左側縁、上側縁、下側縁等に発光体が設けられ、その発光体に隣接して光透過板が設けられる形態であっても良い。
（３）実施の形態１〜５に係る光透過板は、図柄表示装置側に向く傾斜面または曲面を有していたが、遊技者側に向く傾斜面または曲面を有している形態であっても良い。
（４）実施の形態２，３の曲面３ｄ，３ｅにシボ加工またはクローム蒸着を施した形態、あるいは実施の形態４の傾斜面３ｃにシボ加工またはクローム蒸着を施した形態等であっても良い。
【図面の簡単な説明】
【００２９】
【図１】遊技機の正面図である。
【図２】発光装置と図柄表示装置の斜視図である。
【図３】発光装置と図柄表示装置の斜視図である。
【図４】発光装置と図柄表示装置の上面図である。
【図５】実施の形態２に係る発光装置と図柄表示装置の上面図である。
【図６】実施の形態３に係る発光装置と図柄表示装置の上面図である。
【図７】実施の形態４に係る発光装置と図柄表示装置の上面図である。
【符号の説明】
【００３０】
１・・・発光装置
２・・・発光体
３・・・光透過板
３ａ，３ｂ・・・端縁
３ｃ・・・傾斜面
３ｄ，３ｅ・・・曲面
１０・・・遊技盤
１２・・・図柄表示装置
１２ａ・・・表示部
【図１】
2008086701.tif 000003
【図２】
2008086701.tif 000004
【図３】
2008086701.tif 000005
【図４】
2008086701.tif 000006
【図５】
2008086701.tif 000007
【図６】
2008086701.tif 000008
【図７】
2008086701.tif 000009